(57)【要約】【課題】セキュリティに優れ且つ認証時の操作が容易な携帯電話機を提供する。【解決手段】認証部241は、認証情報取得装置210に取得されたユーザの指紋と、第１メモリ220に格納された比較情報とを比較する。正規ユーザと認められた場合には、選択部242が、ユーザに、通信サービスを受けるための選択操作を行わせる。制御部243は、この選択結果に対応するＩＤおよびパスワードを第２メモリ230から読み出す。通信部250は、このＩＤおよびパスワードを、インターネットを介してサービス提供業者のサーバに送信する。提供業者が発行した認証情報をユーザが携帯電話機に入力するのではなく、指紋を用いて個人認証した後で第２メモリ230に格納されたＩＤおよびパスワードを読み出して送信するので、セキュリティを損なうことなくＩＤおよびパスワードの管理を容易にできる。また、指紋情報は送信されないので、通信データ量が過大になることはない。【選択図】図２ 
2005234882.tif 000002
【特許請求の範囲】
【請求項１】
通信サービスを受ける際にユーザから第１認証情報を取得する認証情報取得部と、
該第１認証情報と比較するための比較情報を記憶する第１記憶部と、
前記通信サービスの提供者が個人認証を行うための、１または複数種類の第２認証情報を記憶する第２記憶部と、
前記認証情報取得部で取得された前記第１認証情報と前記第１記憶部に記憶された前記比較情報とを比較することによって前記ユーザの個人認証を行う認証部と、
前記認証部によって正規ユーザであると認証された場合に、いずれかの前記第２認証情報を選択する選択部と、
前記選択部が選択した前記第２認証情報を前記第２記憶部から読み出す制御部と、
前記制御部が読み出した前記第２認証情報を、前記通信サービスの照合サーバに送信する送信部と、
を備えることを特徴とする通信端末装置。
【請求項２】
前記認証情報取得部が、バイオメトリクス個人認証を行うための認証情報を取得する装置であることを特徴とする請求項１に記載の通信端末装置。
【請求項３】
前記通信サービスへの登録が、通信ネットワークを介して行われることを特徴とする請求項１または２に記載の通信端末装置。
【請求項４】
通信サービスを受ける際に、通信端末装置に内蔵されたコンピュータを、
認証情報取得部で取得された第１認証情報と第１記憶部に記憶された比較情報とを比較することによってユーザの個人認証を行う認証手段と、
前記認証部によって正規ユーザであると認証された場合に、１または複数の第２認証情報からいずれかを選択する選択手段と、
前記選択部が選択した前記第２認証情報を第２記憶部から読み出して、該第２認証情報を前記通信サービスの照合サーバに送信するための送信部に転送する制御手段と、
として機能させるための通信端末用プログラム。
【請求項５】
前記第１認証情報および前記比較情報が、バイオメトリクス個人認証を行うための情報であることを特徴とする請求項４に記載の通信端末用プログラム。
【請求項６】
前記通信サービスへの登録が、通信ネットワークを介して行われることを特徴とする請求項４または５に記載の通信端末用プログラム。
【請求項７】
他の通信端末装置の情報を通信ネットワークから取得する通信部と、
前記通信部から取得した測位情報と１または複数の登録位置情報とを照合する位置判別部と、
前記測位情報を所定時間前の測位情報と照合することにより、前記他の通信端末装置の移動中／非移動中を判別する移動判別部と、
前記位置判別部および前記移動判別部の判別結果に基づいて、前記他の通信端末装置のユーザ状態を決定する組み合わせ部と、
前記ユーザ状態を表示画面に表示させる表示部と、
を備えることを特徴とする通信端末装置。
【請求項８】
前記通信部から取得した通話状態情報に基づいて前記他の通信端末装置の通話中／非通話中を判別する通話判別部をさらに備え、
前記組み合わせ部が、該通話判別部の判別結果を含むユーザ状態を決定する、
ことを特徴とする請求項７に記載の通信端末装置。
【請求項９】
通信サービスを受ける際に、通信端末装置に内蔵されたコンピュータを、
他の通信端末装置の測位情報を通信部から取得し、該測位情報と１または複数の登録位置情報とを照合する位置判別部と、
前記測位情報を所定時間前の測位情報と照合することにより、前記他の通信端末装置の移動中／非移動中を判別する移動判別部と、
前記位置判別部および前記移動判別部の判別結果に基づいて前記他の通信端末装置のユーザ状態を決定し、該ユーザ状態を表示画面に表示させる組み合わせ部と、
として機能させるための通信端末用プログラム。
【請求項１０】
通信サービスを受ける際に、通信端末装置に内蔵されたコンピュータを、前記通信部から取得した通話状態情報に基づいて前記他の通信端末装置の通話中／非通話中を判別する通話判別部としてさらに機能させ、且つ、
前記組み合わせ部を該通話判別部の判別結果を含むユーザ状態を決定するように機能させる、
ことを特徴とする請求項９に記載の通信端末用プログラム。
【発明の詳細な説明】
【技術分野】
【０００１】
本発明は、通信サービスを受けることができる通信端末と、通信サービスを受けるために通信端末内で動作する通信端末用プログラムに関する。本発明は、例えば、携帯電話機等の小型情報端末や、通信機能を有する自動車用ナビゲーションシステム等に適用することができる。
【背景技術】
【０００２】
従来より、携帯電話機等の通信端末装置を利用した通信サービスが、種々知られている。多くの通信サービスでは、サービスの提供を受けるに際して、ユーザからサービス提供業者に個人認証情報（ユーザＩＤやパスワード等）を送信する必要がある。正当ユーザ以外の人物が他人の携帯電話機等を不正に使用して、利用料金の請求を免れたり個人情報を盗んだりすることを防止するためである。
【０００３】
携帯電話機等の通信サービスとして、例えば、複数の携帯電話機間でお互いの現在位置情報を交換するサービスがある（以下、「測位情報交換サービス」と称す）。測位情報交換サービスを実現するための技術は、例えば、下記特許文献１に開示されている。測位情報交換サービスでは、複数台の携帯電話機が、一つのグループとして、サービス提供業者に登録される。各携帯電話機は、ＧＰＳ(Global Positioning System) 等の測位システムを利用して、当該携帯電話機の現在位置を測位する。そして、この測位結果は、同一グループに属する他の携帯電話機に送信される。これにより、同一グループに属する携帯電話機間で、互いの現在位置を知ることができる。このような通信サービスでは、１台の携帯電話機が、複数のグループに加入することも可能である。この場合、加入するグループごとに、サービス提供業者に対する登録が行われる。
【０００４】
複数の通信サービスに加入する場合や、測位情報交換サービスの複数グループに加入する場合等には、加入サービスごと或いは加入グループごとに個人認証情報を登録する必要が生じる。このため、ユーザは、多数の個人認証情報を使い分けなければならなくなり、非常に面倒である。加えて、多数の個人認証情報のメモ等を携帯電話機等とともに携帯することは、却ってセキュリティを悪化させる。
【０００５】
一方、個人認証の技術として、バイオメトリクスを用いる技術が知られている。これは、人間の指紋や虹彩等を利用して、個人認証を行う技術である。バイオメトリクスを用いる個人認証技術は、例えば下記特許文献２に開示されている。周知のように、バイオメトリクスを用いることにより、他人に認証情報を盗まれるおそれがなくなるので、セキュリティを向上させることができる。しかしながら、指紋や虹彩等は、電子データに変換したときのデータ量が非常に多くなる。このため、バイオメトリクスのデータを個人認証情報としてサービス提供業者のサーバに送信しようとすると、送信時間が長くなること、通信料金が過大になること、サービス提供業者のサーバの処理負担が過大になること等の欠点を生じる。
【０００６】
また、従来の測位情報交換サービスは、自分または他人の地理的な位置情報を提供するだけであり、仕事中／休暇中などの他人の状態を提供することはできなかった。
【特許文献１】特開平８−５３９４号公報
【特許文献２】特公平５−８４１６６号公報
【発明の開示】
【発明が解決しようとする課題】
【０００７】
本発明の課題は、多数の個人認証情報を管理する必要がなく、個人認証時の通信データ量が少なく且つセキュリティに優れた通信サービスを実現できる通信端末装置および通信端末用プログラムを提供する点にある。
【０００８】
本発明の他の課題は、位置情報に基づいて他人の現在の状態を取得することができる通信端末装置および通信端末用プログラムを提供する点にある。
【課題を解決するための手段】
【０００９】
（１）第１の発明に係る通信端末装置は、通信サービスを受ける際にユーザから第１認証情報を取得する認証情報取得部と、該第１認証情報と比較するための比較情報を記憶する第１記憶部と、通信サービスの提供者が個人認証を行うための第２認証情報を記憶する第２記憶部と、認証情報取得部で取得された第１認証情報と第１記憶部に記憶された比較情報とを比較することによってユーザの個人認証を行う認証部と、認証部によって正規ユーザであると認証された場合に通信サービスに対応する第２認証情報を選択する選択部と、選択部が選択した第２認証情報を第２記憶部から読み出して該第２認証情報を提供者の照合サーバに送信するための送信部に転送する制御部とを備える。
【００１０】
（２）第２の発明に係る通信端末用プログラムは、通信サービスを受ける際に、通信端末装置に内蔵されたコンピュータを、認証情報取得部で取得された第１認証情報と第１記憶部に記憶された比較情報とを比較することによってユーザの個人認証を行う認証手段と、認証部によって正規ユーザであると認証された場合に通信サービスに対応する第２認証情報を選択する選択手段と、選択部が選択した第２認証情報を第２記憶部から読み出して該第２認証情報を提供者の照合サーバに送信するための送信部に転送する制御手段と、として機能させる。
【００１１】
（３）第３の発明に係る通信端末装置は、他の通信端末装置の測位情報を通信ネットワークから取得する通信部と、通信部から取得した測位情報と１または複数の登録位置情報とを照合する位置判別部と、測位情報を所定時間前の測位情報と照合することにより他の通信端末装置の移動中／非移動中を判別する移動判別部と、位置判別部および移動判別部の判別結果に基づいて他の通信端末装置のユーザ状態を決定する組み合わせ部と、ユーザ状態を表示画面に表示させる表示部とを備える。
【００１２】
（４）第４の発明に係る通信端末用プログラムは、通信サービスを受ける際に、通信端末装置に内蔵されたコンピュータを、他の通信端末装置の測位情報を通信部から取得して測位情報と１または複数の登録位置情報とを照合する位置判別部と、測位情報を所定時間前の測位情報と照合することにより他の通信端末装置の移動中／非移動中を判別する移動判別部と、位置判別部および移動判別部の判別結果に基づいて他の通信端末装置のユーザ状態を決定してユーザ状態を表示画面に表示させる組み合わせ部と、として機能させる。
【発明の効果】
【００１３】
第１、第２の発明では、ユーザから取得した第１認証情報と予め通信端末装置内に記憶されている比較情報とを比較することによって個人認証を行い、正規ユーザであると認証された場合に、通信サービス提供者に第２認証情報を送信する。したがって、ユーザから取得される認証情報（第１認証情報）が、通信サービス提供者の個人認証に使用される認証情報（第２認証情報）と、異なっていてもよい。このため、一人のユーザが多数の第２認証情報を有している場合であっても、多数の個人認証情報のメモ等を通信端末機とともに携帯する必要がない。また、第１認証情報を用いた認証方法の選択の自由度が増すこと（例えば、バイオメトリクス技術等を採用し易くなること）などにより、セキュリティを向上させることが容易になる。さらに、実際に送信される情報は第２認証情報であるため、例えばバイオメトリクスのようなデータ量が多い認証情報を第１認証情報として用いたとしても、通信データ量が過大になることはない。
【００１４】
第３、第４の発明では、他の通信端末装置の測位情報と登録位置情報との照合や、測位情報と所定時間前の測位情報との照合により、他の通信端末装置の状態を判定することができる。すなわち、第３、第４の発明によれば、位置情報に基づいて他人の現在の状態を取得することができる。
【発明を実施するための最良の形態】
【００１５】
以下、この発明の実施の形態について、図面を用いて説明する。なお、図中、各構成成分の大きさ、形状および配置関係は、この発明が理解できる程度に概略的に示してあるにすぎず、また、以下に説明する数値的条件は単なる例示にすぎない。
【００１６】
第１実施形態
以下、本発明の一実施形態について、携帯電話機の測位情報交換サービスを受ける場合を例に採り、図１〜図３を用いて説明する。
【００１７】
図１は、本実施形態に係るシステム構成を示す概念図である。
【００１８】
図１に示したように、この通信システム１００は、通信ネットワーク１１０と、携帯電話機１２０と、データ登録店１３０と、管理サーバ１４０と、測位情報サーバ１５０と、照合サーバ１６０とを備えている。管理サーバ１４０、測位情報サーバ１５０および照合サーバ１６０は、測位情報交換サービスの提供業者が管理する。
【００１９】
通信ネットワーク１１０は、携帯電話機１２０およびデータ登録店１３０を、サーバ１４０，１５０，１６０に通信接続する。通信ネットワーク１１０としては、例えばインターネット網を使用することができるが、他の通信ネットワーク（例えば通信キャリアの独自ネットワーク）でもよい。
【００２０】
携帯電話機１２０は、通信ネットワーク１１０に無線接続される。後述するように、この携帯電話機１２０には、測位情報交換サービスを受けるためのアプリケーション・ソフトウエアがインストールされる（図２参照）。測位情報交換サービスには複数の携帯電話機からなるグループ単位で登録が行われるが、図１には一台の携帯電話機１２０のみを示した。
【００２１】
データ登録店１３０は、携帯電話機１２０のユーザが測位情報交換サービスの登録を受けるための店舗である。データ登録店１３０は、ユーザに対して、測位情報交換サービスを受けるためのグループ単位での登録と、個人認証情報（例えばＩＤおよびパスワード）の発行・登録と、測位情報交換サービス用アプリケーション・ソフトウエアの提供とを行う。さらに、データ登録店１３０は、グループ登録の内容を管理サーバ１４０に送信するとともに、個人認証情報を照合サーバ１６０に送信する。ここで、同一グループ内ですべての相手に位置情報等の提供を許可する必要はなく、例えば、ＡはＢ、Ｃに許可するが、ＢはＡのみに許可し、且つ、ＣもＡのみに許可することとしてもよい。
【００２２】
管理サーバ１４０は、ユーザのグループ登録を管理する。管理サーバ１４０は、このグループ登録情報に基づいて、各ユーザごとに、位置情報等の開示を許可している相手と許可していない相手とを判別する。
【００２３】
測位情報サーバ１５０は、携帯電話機１２０から受信した測位情報を、許可されている他の携帯電話機（図示せず）に送信するためのサーバである。許可／不許可の区別は、管理サーバ１４０から提供される。また、測位情報サーバ１５０は、照合サーバ１６０から、各携帯電話機１２０の個人認証結果を受け取る。
【００２４】
照合サーバ１６０は、携帯電話機１２０を使用するユーザの個人認証を行う。この照合サーバ１６０は、認証サーバ１６１と照合処理部１６２とを備えている。認証サーバ１６１は、データ登録店１３０から受信した個人認証情報を、比較情報として保存する。照合処理部１６２は、携帯電話機１２０から受信した個人認証情報を比較情報と比較することにより、個人認証を行う。認証結果は、測位情報サーバ１５０に送られる。
【００２５】
なお、図１ではサービス提供業者のサーバとして４台のサーバ（管理サーバ１４０、測位情報サーバ１５０、照合サーバ１６０および認証サーバ１６１）を設けたが、１〜３台のサーバによってこれらの機能を実現してもよい。
【００２６】
図２は、携帯電話機１２０の要部構成を概念的に示すブロック図である。
【００２７】
図２に示したように、携帯電話機１２０は、認証情報取得装置２１０と、第１メモリ２２０と、第２メモリ２３０と、プロセッサ２４０と、通信部２５０とを備えている。
【００２８】
認証情報取得装置２１０は、個人認証情報をユーザから取得するための装置である。認証情報取得装置２１０に取得された個人認証情報は、第１認証情報として、プロセッサ２４０に送られる。本実施形態では、第１認証情報として、バイオメトリクス情報（人間の指紋や虹彩等）を使用する。バイオメトリクス情報を用いて個人認証を行うことにより、セキュリティを高めることができるとともに、ユーザがＩＤやパスワードをキー入力する手間を省いて操作性を向上させることができる。但し、ユーザがＩＤやパスワードをキー入力するように認証情報取得装置２１０を構成した場合でも、本発明に係る個人認証を行うことは可能である。以下、第１認証情報として指紋を使用する場合を例に採って説明する。
【００２９】
第１メモリ２２０は、第１認証情報と同じ情報を、比較情報として記憶する。後述するように、この比較情報は、プロセッサ２４０に読み出される。
【００３０】
第２メモリ２３０は、通信サービスの提供者が個人認証を行うための個人認証情報を、第２認証情報として記憶する。本実施形態では、第２認証情報を、登録グループごとにサービス提供業者によって発行されたＩＤおよびパスワードとする。また、本実施形態では、携帯電話機１２０が測位情報交換サービスの複数グループに登録されているものとする。したがって、本実施形態では、第２メモリ２３０に、複数種類の第２認証情報が格納されている。
【００３１】
プロセッサ２４０は、測位情報交換サービスを受けるための専用アプリケーション・ソフトウエアを実行する。これにより、プロセッサ２４０は、認証部２４１、選択部２４２および制御部２４３として機能する。
【００３２】
認証部２４１は、認証情報取得装置２１０から第１認証情報（ここでは指紋）を取得するとともに、第１メモリ２２０から比較情報を読み出す。そして、認証部２４１は、第１認証情報と比較情報とを比較することにより、ユーザの個人認証を行う。
【００３３】
選択部２４２は、正規ユーザであると認証された場合に、照合サーバ１６０に送信すべき第２認証情報を選択するための処理を行う。図３は、選択部２４２による表示画面を示す概念図である。図３の例では、選択部２４２が、ユーザが加入している複数のグループ１，２，３，・・・を、表示画面３１０に表示させる。ユーザは、携帯電話機１２０の操作キー３２０を操作して、いずれかのグループを選択する。この選択結果は、選択部２４２から、制御部２４３に送られる。
【００３４】
制御部２４３は、この選択結果に対応する第２認証情報を、第２メモリ２３０から読み出して、通信部２５０に送る。加えて、制御部２４３は、ＧＰＳ装置（図示せず）から測位情報等を取得して、通信部２５０に送る。
【００３５】
通信部２５０は、制御部２４３から受け取った第２認証情報を、認証サーバ１６１（図１参照）に送る。また、通信部２５０は、測位情報等を取得するための信号や、ＧＰＳ装置から受け取った測位情報を、測位情報サーバ１５０に送る。
【００３６】
次に、本実施形態に係るシステムおよび携帯電話機１２０の動作を説明する。
【００３７】
まず、測位情報交換サービスを受けるための準備作業について説明する。
【００３８】
携帯電話機１２０のユーザは、データ登録店１３０に出向き、複数台の携帯電話機１２０を一つのグループとして、登録する。そして、各携帯電話機１２０ごとに、ＩＤとパスワードを登録する。さらに、各携帯電話機１２０には、測位情報交換サービス専用のアプリケーション・ソフトウエアがインストールされる。これにより、プロセッサ２４０（図２参照）は、認証部２４１、選択部２４２および制御部２４３として機能するようになる（上述）。また、ユーザは、自己の携帯電話機１２０を操作して、比較情報および第２認証情報を第１メモリ２２０および第２メモリ２３０に書き込む。
【００３９】
データ登録店１３０は、携帯電話機１２０が新たに登録されたときは、この携帯電話機１２０のＩＤおよびパスワード（すなわち第２認証情報）を、通信ネットワーク１１０を介して認証サーバ１６１に登録する。加えて、データ登録店１３０は、新たに登録された携帯電話機１２０の開示許可情報を、通信ネットワーク１１０を介して管理サーバ１４０に登録する。開示許可情報とは、当該携帯電話機１２０の位置情報等の閲覧を許可する携帯電話機を特定するための情報である。一台の携帯電話機１２０が複数グループに属する場合、第２認証情報および開示許可情報は、グループごとに異なる。
【００４０】
以上により、測位情報交換サービスを受けるための準備作業が終了する。
【００４１】
次に、測位情報交換サービスを受ける際の動作を説明する。
【００４２】
他の携帯電話機の位置情報等を知りたい場合、ユーザは、携帯電話機１２０（図２参照）の測位情報交換サービス専用アプリケーション・ソフトウエアを起動させる。このソフトウエアは、まず、ユーザに、指紋（すなわち第１認証情報）の入力を催促する。ユーザは、認証情報取得装置２１０を用いて、指紋を入力する。指紋が入力されると、認証部２４１は、取得された指紋を、第１メモリ２２０に格納された比較情報とを比較することにより、ユーザの個人認証を行う。正規ユーザでは無いとの認証結果が得られた場合、ソフトウエアは、その旨を表示して動作を終える。一方、正規ユーザであるとの認証結果が得られた場合、選択部２４２が、図３に示したような画面を携帯電話機１２０に表示させる。ユーザは、操作キー３２０を用いて、いずれかのグループを選択する。上述のように、第２認証情報（ＩＤおよびパスワード）は、ユーザが登録しているグループごとに異なる。したがって、この選択結果により、測位情報交換サービスを受けるための第２認証情報が特定される。この選択結果は、選択部２４２から制御部２４３に送られる。制御部２４３は、この選択結果に対応する第２認証情報を第２メモリ２３０から読み出して、通信部２５０に送る。通信部２５０は、この第２認証情報を、通信ネットワーク１１０を介して、照合サーバ１６０（図１参照）に送る。
【００４３】
照合処理部１６２は、照合サーバ１６０が受信した第２認証情報を、認証サーバ１６１に格納された第２認証情報と照合することにより、ユーザの認証を行う。正規ユーザと認証された場合、照合処理部１６２は、当該ユーザへのサービス提供を許可するための信号を、測位情報サーバ１５０に送る。また、照合処理部１６２は、認証結果を示す信号を、携帯電話機１２０に返送する。
【００４４】
測位情報サーバ１５０は、この信号を受信すると、当該ユーザに対する情報提供を許可している携帯電話機を、管理サーバ１４０に問い合わせる。そして、測位情報サーバ１５０は、管理サーバ１４０から返信された情報に基づいて、携帯電話機１２０に送信すべき位置情報等を判断する。そして、対応する携帯電話機の位置情報等が、通信ネットワーク１１０を介して、測位情報サーバ１５０から携帯電話機１２０に送られる。
【００４５】
携帯電話機１２０の通信部２５０は、受信した位置情報等を制御部２４３に送る。制御部２４３は、かかる位置情報等を携帯電話機１２０の画面に表示する。
【００４６】
また、以上の処理とは別に、制御部２４３は、測位情報等を、随時、通信部２５０に送る。通信部２５０は、この測位情報等を、通信ネットワーク１１０を介して、測位情報サーバ１５０に提供する。
【００４７】
以上説明したように、本実施形態によれば、通信サービスを受ける際に、指紋などの第１認証情報を用いた個人認証を行い、その後で、予め第２メモリ２３０に格納された第２認証情報を用いて認証サーバ１６１による個人認証を行うこととした。
【００４８】
すなわち、本実施形態では、通信サービスを開始する度に第１認証情報による認証を行うので、予め第２認証情報を携帯電話機１２０に記憶させておくにも拘わらず、セキュリティの信頼性を低下させることがない。
【００４９】
また、予め第２認証情報を携帯電話機１２０に記憶させておくので、ユーザに多数の個人認証情報が発行されている場合でも、ユーザ自身がこれらの第２認証情報を管理する必要がなく、したがって、利便性を向上させることができる。
【００５０】
さらに、認証サーバ１６１による認証では、ＩＤやパスワード等の第２認証情報を使用する。したがって、認証サーバ１６１による認証のために指紋等のバイオメトリクス情報を直接使用する場合と比較して、通信データ量が少なくてよい。このため、本実施形態によれば、通信ネットワーク１１０の輻輳の抑制や、ユーザの通信料金の低減を図ることができる。
【００５１】
第２実施形態
以下、本発明の第２実施形態について、携帯電話機の測位情報交換サービスを受ける場合を例に採り、図４を用いて説明する。
【００５２】
図４は、本実施形態に係るシステム構成を示す概念図である。図４において、図１と同じ符号を付した構成要素は、それぞれ図１の場合と同じものを示している。
【００５３】
本実施形態のシステム４００は、データ登録店１３０に代えてデータ登録サーバ４１０を備えている点で、第１実施形態のシステム（図１参照）と異なる。このサーバ４１０は、サービス提供業者によって管理される。
【００５４】
ユーザの携帯電話機１２０がデータ登録サーバ４１０にアクセスすると、携帯電話機１２０の表示画面に、サービス登録用のサイトが表示される。ユーザは、携帯電話機１２０を用いて、測位情報交換サービスを受けるためのグループ単位での登録と、個人認証情報（例えばＩＤおよびパスワード）の発行・登録と、測位情報交換サービス用アプリケーション・ソフトウエアのダウンロードとを行う。
【００５５】
データ登録サーバ４１０は、グループ登録の内容を管理サーバ１４０に送信するとともに、個人認証情報を照合サーバ１６０に送信する。これにより、ユーザ登録が終了する。
【００５６】
なお、データ登録サーバ４１０は、他のサーバ１４０、１６０、１６１の一部または全部と共通化されていてもよい。
【００５７】
本実施形態によれば、データ登録店に出向かなくてもユーザ登録を受けることができるので、ユーザの利便性を向上させることができる。
【００５８】
加えて、本実施形態は、第１実施形態と同様の長所、すなわち、通信サービスを開始する度に第１認証情報による認証を行うのでセキュリティの信頼性を確保することができ、ユーザ自身が第２認証情報を管理する必要がなく、認証時の通信データ量が少なくて済むという長所を有する。
【００５９】
第３実施形態
以下、本発明の第３実施形態について、図５および図６を用いて説明する。
【００６０】
図５は、本実施形態の測位情報交換サービスを利用するときの、携帯電話機の画面表示の一例を示す概念図である。
【００６１】
図５に示したように、本実施形態に係る携帯電話機の表示画面では、地図表示上に、ユーザ現在位置（星印）と、ランドマーク（旗印）と、ユーザ状態とが表示される。
【００６２】
現在位置表示（星印）は、同一グループに属するユーザＡ、Ｂ、Ｃの測位結果を示す表示である。
【００６３】
ランドマークは、予め登録された位置を各ユーザの携帯電話機に共通表示させるためのマークである。ランドマークは、例えば、待ち合わせ場所の位置表示等として使用される。
【００６４】
ユーザ状態は、例えば、各ユーザＡ、Ｂ、Ｃの、携帯電話機の通話中／非通話中の区別および現在位置の自宅／会社／移動中／その他の区別の表示である。
【００６５】
さらに、各ユーザＡ、Ｂ、Ｃのコメントを、文字情報として、携帯電話機の画面に表示することとしてもよい。コメントの内容としては、例えば、「現在仕事中で電話にでることができません」、「今日は休暇で自宅にいます」などが考えられる。
【００６６】
また、各ユーザＡ、Ｂ、Ｃが、他の携帯電話機に現在位置を教えるか否かの設定や他の携帯電話機にコメントを送るか否かの設定を、その都度変更できるようにしてもよい。
【００６７】
図６は、本実施形態に係る携帯電話機の要部構成を概念的に示すブロック図である。
【００６８】
図６に示したように、本実施形態の携帯電話機は、通信部６１０と、プロセッサ６２０と、タイマ６３０と、表示部６４０とを備えている。
【００６９】
通信部６１０は、測位情報サーバ１５０（図１参照）から、通話状態情報、測位情報、その他の情報を受信する。ここで、通話状態情報とは、各携帯電話機の通話中／非通話中の区別を示す情報である。測位情報とは、各携帯電話機の測位結果を示す情報であり、その他の情報とは、地図情報や上述のコメント（文字情報）等である。
【００７０】
プロセッサ６２０は、測位情報交換サービスを受けるための専用アプリケーション・ソフトウエアを実行する。これにより、プロセッサ６２０は、通話判別部６２１、位置判別部６２２、移動判別部６２３および組み合わせ部６２４として機能する。
【００７１】
通話判別部６２１は、通信部６１０から通話状態情報を受け取り、この通話状態情報から、それぞれの他の携帯電話機の、通話中／非通話中の区別を判断する。そして、通話中である場合は「現在通話不可」のフラグを立て、非通話中である場合は「現在通話可」のフラグを立てる。ここで、「現在通話不可」のフラグおよび「現在通話可」のフラグは、通話判別部６２１内にソフトウエア的に構築することができる。
【００７２】
位置判別部６２２は、通信部６１０から測位情報を受け取り、この測位情報を登録位置情報と照合する。本実施形態では、登録位置情報として、各ユーザＡ、Ｂ、Ｃの自宅および会社等の位置情報を採用するものとする。登録位置情報は、予め取得された測位情報を含み、携帯電話機内のメモリ（図示せず）に予め格納されている。位置判別部６２２は、通信部６１０から取得した測位情報がいずれかの登録位置情報と一致する場合は、当該登録位置情報に対応するフラグを立てる。例えば、ユーザＡの測位情報が当該ユーザＡの会社の登録位置情報と一致した場合には「仕事中」のフラグが立てられ、当該ユーザＡの自宅の登録位置情報と一致した場合には「自宅」のフラグが立てられる。一方、会社および自宅のいずれとも一致しない場合、移動判別部６２３の処理に移行する。各フラグは、位置判別部６２２内にソフトウエア的に構築することができる。
【００７３】
移動判別部６２３は、通信部６１０から測位情報を受け取るとともに、タイマ６３０から時刻情報を受け取る。そして、移動判別部６２３は、当該測位情報を、所定時間（タイマ６３０の時刻情報に基づいて判断される）前の測位情報と照合する。移動判別部６２３は、これらの測位情報に対応する位置が一致していない場合には「移動中」のフラグを立て、一致している場合には「その他」のフラグを立てる。各フラグは、移動判別部６２３内にソフトウエア的に構築することができる。
【００７４】
組み合わせ部６２４は、判別部６２１〜６２３のフラグ値を用いて、ユーザ状態の表示画像情報を生成する。
【００７５】
タイマ６３０は、時刻情報を生成して、移動判別部６２３に供給する。なお、タイマはプロセッサ６２０内にソフトウエア的に構築してもよい。
【００７６】
表示部６４０は、組み合わせ部６２５から、ユーザ状態の表示画像情報を受け取る。そして、表示部６４０は、ユーザ状態を、地図表示やユーザ現在位置、ランドマーク等とともに、表示画面に表示させる（図５参照）。なお、表示部６４０の一部がプロセッサ６２０にソフトウエア的に構築されていてもよいことは、もちろんである。
【００７７】
このように、本実施形態によれば、測位情報を用いて、同一グループに属する各ユーザＡ、Ｂ、Ｃの状態（通話可／通話不可の状態および自宅／会社／移動中の状態）を判別・表示することができる。
【図面の簡単な説明】
【００７８】
【図１】第１実施形態に係るシステム構成を示す概念図である。
【図２】第１実施形態に係る通信端末装置の要部構成を示すブロック図である。
【図３】第１実施形態に係る通信端末装置の画面表示を示す概念図である。
【図４】第２実施形態に係るシステム構成を示す概念図である。
【図５】第３実施形態に係る通信端末装置の画面表示を示す概念図である。
【図６】第１実施形態に係る通信端末装置の要部構成を示すブロック図である。
【符号の説明】
【００７９】
１００，４００  システム
１１０  通信ネットワーク
１２０  携帯電話機
１３０  データ登録店
１４０  管理サーバ
１５０  測位情報サーバ
１６０  照合サーバ
１６１  認証サーバ
１６２  照合処理部
２１０  認証情報取得装置
２２０  第１メモリ
２３０  第２メモリ
２４０，６２０  プロセッサ
２４１  認証部
２４２  選択部
２４３  制御部
２５０，６１０  通信部
４１０  データ登録サーバ
６２１  通話判別部
６２２  位置判別部
６２３  移動判別部
６２４  組み合わせ部
６３０  タイマ
６４０  表示部
【図１】
2005234882.tif 000003
【図２】
2005234882.tif 000004
【図３】
2005234882.tif 000005
【図４】
2005234882.tif 000006
【図５】
2005234882.tif 000007
【図６】
2005234882.tif 000008